(57)【要約】      （修正有）【課題】散布材の散布を極めて楽に、かつ迅速に行える非常に実用的な散布装置及び散布材噴射装置取付具を提供する。【解決手段】農業用車両６０に取り付けられ農地へ散布する肥料や農薬などの散布材を散布する散布装置であって、農業用車両の被取付部に着脱自在に連結される取付本体部を有し、取付本体部に、散布材噴射装置５０を連結する連結部２が水平往復回動自在に設けられている。連結部は、取付本体部に軸着され、取付本体部に設けられた駆動部の作動により回動部材１０を介して水平往復回動する。また、作動杆１１の連設位置を可変し連結部の往復回動角度を調整する回動角度調整機構を具備する。【選択図】図１
0003221701.tif 000002
【実用新案登録請求の範囲】
【請求項１】
農業用車両に取り付けられ農地へ散布する肥料や農薬などの散布材を散布する散布装置であって、前記農業用車両の被取付部に着脱自在に連結される取付本体部を有し、この取付本体部には、前記散布材を噴射する散布材噴射装置を連結する連結部が水平往復回動自在に設けられていることを特徴とする散布装置。
【請求項２】
請求項１記載の散布装置において、前記連結部は、前記取付本体部に軸着され該取付本体部に設けられた駆動部の作動により水平往復回動するように設けられていることを特徴とする散布装置。
【請求項３】
請求項１，２いずれか１項に記載の散布装置において、前記連結部の往復回動角度を調整する回動角度調整機構を具備したことを特徴とする散布装置。
【請求項４】
請求項１〜３いずれか１項に記載の散布装置において、前記散布材噴射装置は背負い可能なものであることを特徴とする散布装置。
【請求項５】
請求項１〜４いずれか１項に記載の散布装置において、前記農業用車両は水田を走行する乗用管理機であることを特徴とする散布装置。
【請求項６】
請求項１〜５いずれか１項に記載の散布装置において、前記被取付部は、前記農業用車両に農機やウエイトなどの装着物を連結するための既存の被連結部であることを特徴とする散布装置。
【請求項７】
農地へ散布する肥料や農薬などの散布材を噴射する散布材噴射装置を農業用車両に取り付けるための取付具であって、前記農業用車両の被取付部に着脱自在に連結される取付本体部と、この取付本体部に水平往復回動自在に設けられ前記散布材噴射装置を連結する連結部とで構成されていることを特徴とする散布材噴射装置取付具。
【請求項８】
請求項７記載の散布材噴射装置取付具において、前記連結部は、前記取付本体部に軸着され該取付本体部に設けられた駆動部の作動により水平往復回動するように設けられていることを特徴とする散布材噴射装置取付具。
【請求項９】
請求項７，８いずれか１項に記載の散布材噴射装置取付具において、前記連結部の往復回動角度を調整する回動角度調整機構を具備したことを特徴とする散布材噴射装置取付具。
【請求項１０】
請求項７〜９いずれか１項に記載の散布材噴射装置取付具において、前記散布材噴射装置は背負い可能なものであることを特徴とする散布材噴射装置取付具。
【請求項１１】
請求項７〜１０いずれか１項に記載の散布材噴射装置取付具において、前記農業用車両は水田を走行する乗用管理機であることを特徴とする散布材噴射装置取付具。
【請求項１２】
請求項７〜１１いずれか１項に記載の散布材噴射装置取付具において、前記被取付部は、前記農業用車両に農機やウエイトなどの装着物を連結するための既存の被連結部であることを特徴とする散布材噴射装置取付具。
【考案の詳細な説明】
【技術分野】
【０００１】
本考案は、農業用車両に取り付けられる散布材散布装置及び散布材噴射装置を農業用車両に取り付けるための取付具に関するものである。
【背景技術】
【０００２】
従来から、農地に肥料や農薬などの散布材を散布するための装置として、例えば特開２０１４−１８１３９号に開示されるような散布材噴射装置（以下、従来例）が提案されている。
【０００３】
この従来例は、図13に図示したように散布材70が収納され背負いベルト54が設けられるタンク部51と、このタンク部51に収納された散布材70を圧送する圧送部52と、この圧送部52で圧送された散布材70を噴射するパイプ状の噴射部53とを有するものであり、散布材70を散布する際には、作業者は背負いベルト54を利用してタンク部51を背負い、この状態で農地内を歩いて噴射部53をスイングしながら圧送部52から圧送される散布材70を噴射散布する。
【先行技術文献】
【特許文献】
【０００４】
【特許文献１】特開２０１４−１８１３９号公報
【考案の概要】
【考案が解決しようとする課題】
【０００５】
しかしながら、従来例は、タンク部51に散布材70を入れると総重量が２０〜３０ｋｇとなって非常に重く、特に足場の悪い水田での使用は大変である。近年、農業従事者の高齢化が進む中、この散布材70の散布作業における労力軽減は大きな課題となっている。
【０００６】
本考案は、前述した問題点を解消するもので、従来に無い非常に実用的な散布装置及び散布材噴射装置取付具を提供する。
【課題を解決するための手段】
【０００７】
添付図面を参照して本考案の要旨を説明する。
【０００８】
農業用車両60に取り付けられ農地へ散布する肥料や農薬などの散布材70を散布する散布装置であって、前記農業用車両60の被取付部61に着脱自在に連結される取付本体部１を有し、この取付本体部１には、前記散布材70を噴射する散布材噴射装置50を連結する連結部２が水平往復回動自在に設けられていることを特徴とする散布装置に係るものである。
【０００９】
また、請求項１記載の散布装置において、前記連結部２は、前記取付本体部１に軸着され該取付本体部１に設けられた駆動部３の作動により水平往復回動するように設けられていることを特徴とする散布装置に係るものである。
【００１０】
また、請求項１，２いずれか１項に記載の散布装置において、前記連結部２の往復回動角度を調整する回動角度調整機構４を具備したことを特徴とする散布装置に係るものである。
【００１１】
また、請求項１〜３いずれか１項に記載の散布装置において、前記散布材噴射装置50は背負い可能なものであることを特徴とする散布装置に係るものである。
【００１２】
また、請求項１〜４いずれか１項に記載の散布装置において、前記農業用車両60は水田を走行する乗用管理機であることを特徴とする散布装置に係るものである。
【００１３】
また、請求項１〜５いずれか１項に記載の散布装置において、前記被取付部61は、前記農業用車両60に農機やウエイトなどの装着物を連結するための既存の被連結部であることを特徴とする散布装置に係るものである。
【００１４】
また、農地へ散布する肥料や農薬などの散布材70を噴射する散布材噴射装置50を農業用車両60に取り付けるための取付具であって、前記農業用車両60の被取付部61に着脱自在に連結される取付本体部１と、この取付本体部１に水平往復回動自在に設けられ前記散布材噴射装置50を連結する連結部２とで構成されていることを特徴とする散布材噴射装置取付具に係るものである。
【００１５】
また、請求項７記載の散布材噴射装置取付具において、前記連結部２は、前記取付本体部１に軸着され該取付本体部１に設けられた駆動部３の作動により水平往復回動するように設けられていることを特徴とする散布材噴射装置取付具に係るものである。
【００１６】
また、請求項７，８いずれか１項に記載の散布材噴射装置取付具において、前記連結部２の往復回動角度を調整する回動角度調整機構４を具備したことを特徴とする散布材噴射装置取付具に係るものである。
【００１７】
また、請求項７〜９いずれか１項に記載の散布材噴射装置取付具において、前記散布材噴射装置50は背負い可能なものであることを特徴とする散布材噴射装置取付具に係るものである。
【００１８】
また、請求項７〜１０いずれか１項に記載の散布材噴射装置取付具において、前記農業用車両60は水田を走行する乗用管理機であることを特徴とする散布材噴射装置取付具に係るものである。
【００１９】
また、請求項７〜１１いずれか１項に記載の散布材噴射装置取付具において、前記被取付部61は、前記農業用車両60に農機やウエイトなどの装着物を連結するための既存の被連結部であることを特徴とする散布材噴射装置取付具に係るものである。
【考案の効果】
【００２０】
本考案は上述のように構成したから、散布材の散布が極めて楽に且つ迅速に行えるなど、従来に無い非常に実用的な散布装置及び散布材噴射装置取付具となる。
【図面の簡単な説明】
【００２１】
【図１】本実施例を用いて散布材噴射装置50を農業用車両60に取り付けた状態の説明図である。
【図２】本実施例を説明する斜視図である。
【図３】本実施例を示す正面図である。
【図４】本実施例に係る連結部２に散布材噴射装置50を載置した状態の説明図である。
【図５】本実施例を用いて散布材噴射装置50を農業用車両60に取り付けた状態の説明図である。
【図６】本実施例の要部の動作説明図である。
【図７】本実施例の要部の動作説明図である。
【図８】本実施例の要部の動作説明図である。
【図９】本実施例の要部の動作説明図である。
【図１０】本実施例の要部の動作説明図である。
【図１１】本実施例の要部の動作説明図である。
【図１２】本実施例の使用状態説明図である。
【図１３】散布材噴射装置50の使用状態説明図である。
【考案を実施するための形態】
【００２２】
好適と考える本考案の実施形態を、図面に基づいて本考案の作用を示して簡単に説明する。
【００２３】
本考案は、農業用車両60の被取付部61に取付本体部１を連結するとともに、連結部２に散布材噴射装置50を連結する。
【００２４】
この状態で農地へ肥料や農薬などの散布材70を散布する。
【００２５】
具体的には、農業用車両60を農地を走行させながら連結部２を水平往復回動させると、この連結部２に連結された散布材噴射装置50の散布材70を噴射する部位がスイングした状態となり、この部位のスイング軌道に合った状態で噴射材70が噴射散布される。
【００２６】
従って、前述したようにこれまで作業者が背負うことで行っていた散布材70の散布作業の代わりに、散布装置を既存の農業用車両60に取り付けて行うことができる為、作業者の労力を可及的に軽減することができ、しかも、広範囲への散布材70の散布が確実且つ迅速に行えることになり、非常に作業性が良好となる。
【実施例】
【００２７】
本考案の具体的な実施例について図面に基づいて説明する。
【００２８】
本実施例は、農業用車両60に取り付けられ農地へ散布する肥料や農薬などの散布材70（農業用散布材）を散布する散布装置Ｘであって、散布材70を噴射する散布材噴射装置50を農業用車両60に取り付けるための取付具を設けている。
【００２９】
本実施例では、散布材噴射装置50として、図13に図示したように農地へ散布する肥料や農薬などの散布材70が収納され左右一対の背負いベルト54が設けられるタンク部51と、このタンク部51に収納された散布材70を圧送する圧送部52（ポンプ装置）と、この圧送部52で圧送された散布材70を噴射するパイプ状の噴射部53（分離可能に接続する複数のパイプ部材53ａ，53ｂで構成され、その長さを可変し得る構造）とを有する既存の背負い式の散布材噴射装置50を採用している。尚、散布材噴射装置50としては上記構造のものに限らない。
【００３０】
また、本実施例では、農業用車両60として、図１に図示したように水田を走行可能であり車高が高く（作物を倒さないように）設けられた主に農薬散布に使用される乗用管理機を採用しており、この農業用車両60の前端部には、各種農機やウエイトなどの装着物を着脱自在に連結するフレーム状の被取付部61（既存の被連結部）が設けられている。尚、例えばトラクターなど本実施例の特性を発揮するものであれば適宜採用し得るものである。
【００３１】
以下、本実施例に係る構成各部について詳細な説明をする。
【００３２】
本実施例に係る散布材噴射装置50の取付具は、農業用車両60の被取付部61に連結される取付本体部１と、この取付本体部１に水平往復回動自在に設けられ散布材噴射装置50を連結する連結部２とで構成されている。
【００３３】
取付本体部１は、図１〜５に図示したように適宜な金属製の部材で形成された方形板状体であり、その後端部には農業用車両60の被取付部61に着脱自在に連結される連結構造部５が設けられている。
【００３４】
この連結構造部５は、取付本体部１の後端部に垂設され孔５ｂを有する連結板部５ａと、この連結板部５ａに対設され止着部材６（ボルト・ナット）を介して連設される連結板材５ｃとで構成され、この連結板部５ａを被取付部61の表面側に重合するとともに、被取付部61の裏面側に連結板材５ｃを重合し、この連結板部５ａと連結板材５ｃとで被取付部61を挟持した状態で止着部材６を締付け止着することで連結される。
【００３５】
また、取付本体部１の上面所定位置には、後述する連結部２が連設されるベアリング付き回動軸部８が突設されている。
【００３６】
また、この回動軸部８の側方位置には該回動軸部８に連設された連結部２を駆動により回動させる駆動部３が設けられている。
【００３７】
この駆動部３は、取付本体部１に設けられる駆動源９（電動モーター）により水平回動する円形板状の回動部材10と、この回動部材10の所定位置（回動中心位置からずれた位置）に一端部に設けられた第一枢着連設部11ａが連設され、後述する連結部２に他端部に設けられた第二枢着連設部11ｂが連設される作動杆11とで構成されている。
【００３８】
連結部２は、図１〜５に図示したように適宜な金属製の部材で形成した円形板状体であり、その上面所定位置には載置した散布材噴射装置50を固定する固定部２ａが設けられている。
【００３９】
この固定部２ａは、連結部２の上面に金属の板部材を立設して構成されており、連結部２に載置された散布材噴射装置50は、この固定部２に連結用紐体12を介して固定される。
【００４０】
また、連結部２の下面中央位置は、前述した取付本体部１に設けられた回動軸部８の上端部に連設されている。
【００４１】
従って、連結部２は回動軸部８を軸に水平回動自在となる。
【００４２】
また、連結部２の下面には、回動軸部８と連結する下面中央位置から放射方向位置にして周方向等間隔の三箇所に転動部13（車輪）が設けられている。
【００４３】
この転動部13は、連結部２が水平回動する際、取付本体部１の上面を転動することになり、連結部２の安定的な水平回動が達成されることになる。
【００４４】
また、連結部２には作動杆11が連設されている。
【００４５】
具体的には、この作動杆11は、適宜な金属製の部材で形成された棒状体であり、一端部に設けられた第一枢着連設部11ａが連結部２に連設され、他端部に設けられた第二枢着連設部11ｂが回動部材10に連設されており、駆動源９が作動することで回動部材10は水平回動（一方向への回動）し、この回動部材10の水平回動に伴い作動杆11が連動して連結部２は左右に水平往復回動するように構成されている。
【００４６】
従って、この連結部２に載置された散布材噴射装置50は水平往復回動することになる。
【００４７】
また、本実施例は、連結部２の往復回動角度を調整する回動角度調整機構４を具備している。
【００４８】
この回動角度調整機構４は、図10，11に図示したように回動部材10及び連結部２に対する作動杆11（第一枢着連設部11ａ及び第二枢着連設部11ｂ）の連設位置を可変し得るように設けて構成されており、この各連設位置を変える（第一枢着連設部11ａは回動径方向に、第二枢着連設部11ｂは回動周方向に変える）ことで、連結部２の往復回動角度（左右への水平往復回動の振り幅）を調整することができる。
【００４９】
本実施例は上述のように構成したから、農業用車両60の被取付部61に取付本体部１を連結するとともに、連結部２に散布材噴射装置50を連結する。この際、散布材噴射装置50の噴射部53は、噴射口が斜め上方を向いた状態に設定される。
【００５０】
この状態で農地へ肥料や農薬などの散布材70を散布する。
【００５１】
具体的には、農業用車両60を農地を走行させながら連結部２を水平往復回動させると、この連結部２に連結された散布材噴射装置50の散布材70を噴射する部位がスイングした状態となり、この部位のスイング軌道に合った状態で噴射材70が噴射散布される。
【００５２】
よって、本実施例によれば、前述したようにこれまで作業者が背負うことで行っていた散布材70の散布作業の代わりに、散布材散布装置（散布材噴射装置50）を既存の農業用車両60に取り付けて行うことができる為、作業者の労力を可及的に軽減することができ、しかも、広範囲への散布材70の散布が確実且つ迅速に行えることになり、非常に作業性が良好となる。
【００５３】
また、本実施例は、連結部２は、取付本体部１に軸着され該取付本体部１に設けられた駆動部３の作動により水平往復回動するように設けられているから、前述した作用効果を確実に奏することになる。
【００５４】
また、本実施例は、連結部２の往復回動角度を調整する回動角度調整機構４を具備したから、散布する範囲を任意に調整することができ、より一層良好な散布材70の散布作業が行われることになる。
【００５５】
また、本実施例は、散布材噴射装置50は背負い可能なものであるから、既存の装置を有効に利用して良好な散布材70の散布作業が行われることになる。
【００５６】
また、本実施例は、農業用車両60は水田を走行し得る乗用管理機であるから、既存の装置を有効に利用して良好な散布材70の散布作業が行われることになる。
【００５７】
また、本実施例は、被取付部61は、農業用車両60に農機やウエイトなどの装着物を連結するための既存の被連結部であるから、既存の被取付部61を利用してコスト安にして量産性に秀れた構造となる。
【００５８】
尚、本考案は、本実施例に限られるものではなく、各構成要件の具体的構成は適宜設計し得るものである。
【符号の説明】
【００５９】
１  取付本体部
２  連結部
３  駆動部
４  回動角度調整機構
50  散布材噴射装置
60  農業用車両
61  被取付部
70  散布材
【図１】
0003221701.tif 000003
【図２】
0003221701.tif 000004
【図３】
0003221701.tif 000005
【図４】
0003221701.tif 000006
【図５】
0003221701.tif 000007
【図６】
0003221701.tif 000008
【図７】
0003221701.tif 000009
【図８】
0003221701.tif 000010
【図９】
0003221701.tif 000011
【図１０】
0003221701.tif 000012
【図１１】
0003221701.tif 000013
【図１２】
0003221701.tif 000014
【図１３】
0003221701.tif 000015